【手続補正書】
【提出日】平成20年1月22日(2008.1.22)
【手続補正１】
【補正対象書類名】明細書
【補正対象項目名】特許請求の範囲
【補正方法】変更
【補正の内容】
【特許請求の範囲】
【請求項１】  中心線を有する回転軸のための軸受システムであって、
（ａ）軸が回転する円筒形の空間を有する軸受であって、前記円筒形の空間は中心線を有し、前記軸受は約０．０１から約２．５ＭＰａ・ｍ／秒の範囲のＰＶ値で求めた場合、約２×１０-6から約２×１０-5ｍｍ3／時間の範囲の摩損値を有するポリマーから作製された軸受と、
（ｂ）均一な肉厚と前記軸受が締まりばめで入っている円筒形の空間を有するスリーブであって、前記スリーブは約２０から約３０℃の範囲の温度で求めた場合、少なくとも約０．０２の損失正接値を有するエラストマーから作製されたスリーブとを備え、
前記軸の回転に潤滑剤が用いられず、前記軸の中心線が前記軸受の中心線と平行な間、前記軸の運動によって、前記スリーブが圧縮可能であることを特徴とする軸受システム。
【請求項２】  前記ポリマーが、ポリイミド、ポリアミド、ポリアミドイミド、アセタール、ポリエーテルエーテルケトン、ポリエーテルケトンケトン、ポリエーテルイミド、液晶ポリマー、フルオロポリマー、フェノール樹脂、ポリエーテルスルフィド、ポリフェニルスルフィド、ポリフェニルスルホンからなる群から選択されることを特徴とする請求項１に記載の軸受システム。
【請求項３】  中心線を有する回転軸のための軸受システムであって、
（ａ）軸が回転する円筒形の空間を有する軸受であって、前記円筒形の空間は中心線を有し、前記軸受は約０．０１から約２．５ＭＰａ・ｍ／秒の範囲のＰＶ値で求めた場合、約０．３以下の摩擦係数を有するポリマーから作製されている軸受と、
（ｂ）均一な肉厚と前記軸受が締まりばめで入っている円筒形の空間を有するスリーブであって、前記スリーブは、約２０から約３０℃の範囲の温度で求めた場合、少なくとも約０．０２の損失正接値を有するエラストマーから作製されているスリーブとを備え、
前記軸の回転に潤滑剤が用いられず、前記軸の中心線が前記軸受の中心線と平行な間、前記軸の運動によって、前記スリーブが圧縮可能であることを特徴とする軸受システム。
【請求項４】  前記ポリマーは、ポリイミドであることを特徴とする請求項３に記載の軸受システム。
【請求項５】  請求項１または請求項３に記載の軸受システムを有することを特徴とする分数馬力モータ。
【手続補正２】
【補正対象書類名】明細書
【補正対象項目名】００５０
【補正方法】変更
【補正の内容】
【００５０】
本発明の好ましい実施形態を、実施例を用いてこうして説明したが、当業者にとって、特許請求の範囲に述べた本発明の範囲から逸脱することなく、修正および適合を加えることができることは明らかであろう。
本発明は以下の実施の態様を含むものである。
１．  中心線を有する回転軸のための軸受システムであって、
（ａ）軸が回転する円筒形の空間を有する軸受であって、前記円筒形の空間は中心線を有し、前記軸受は約０．０１から約２．５ＭＰａ・ｍ／秒の範囲のＰＶ値で求めた場合、約２×１０-6から約２×１０-5ｍｍ3／時間の範囲の摩損値を有するポリマーから作製された軸受と、
（ｂ）均一な肉厚と前記軸受が締まりばめで入っている円筒形の空間を有するスリーブであって、前記スリーブは約２０から約３０℃の範囲の温度で求めた場合、少なくとも約０．０２の損失正接値を有するエラストマーから作製されたスリーブとを備え、
前記軸の回転に潤滑剤が用いられず、前記軸の中心線が前記軸受の中心線と平行な間、前記軸の運動によって、前記スリーブが圧縮可能であることを特徴とする軸受システム。
２．  約０．０１から約２．５ＭＰａ・ｍ／秒の範囲のＰＶ値で求めた場合、前記ポリマーは約０．３以下の摩擦係数を有することを特徴とする前記１．に記載の軸受システム。
３．  前記摩擦係数が約０．２以下であることを特徴とする前記２．に記載の軸受システム。
４．  前記ＰＶ値が、約０．０５から約０．２５ＭＰａの範囲の圧力と約０．２から約１０ｍ／秒の範囲の速度とから得られることを特徴とする前記１．に記載の軸受システム。
５．  前記ポリマーが、ポリイミド、ポリアミド、ポリアミドイミド、アセタール、ポリエーテルエーテルケトン、ポリエーテルケトンケトン、ポリエーテルイミド、液晶ポリマー、フルオロポリマー、フェノール樹脂、ポリエーテルスルフィド、ポリフェニルスルフィド、ポリフェニルスルホンからなる群から選択されることを特徴とする前記１．に記載の軸受システム。
６．  前記ポリマーがポリイミドであることを特徴とする前記１．に記載の軸受システム。
７．  前記エラストマーが、少なくとも約０．０８の損失正接値を有することを特徴とする前記１．に記載の軸受システム。
８．  前記エラストマーが、少なくとも３０のショアＡ硬さ値を有することを特徴とする前記１．に記載の軸受システム。
９．  前記エラストマースリーブが、熱可塑性エラストマー、架橋エラストマー、ならびに天然および合成ゴムからなる群から選択される材料を含むことを特徴とする前記１．に記載の軸受システム。
１０．  前記エラストマースリーブが、ネオプレンゴムおよびポリ（エーテル／エステル）エラストマーの１種または複数から作製されることを特徴とする前記１．に記載の軸受システム。
１１．  前記エラストマースリーブを取り囲む金属リングをさらに備えることを特徴とする前記１．に記載の軸受システム。
１２．  前記軸受は、前記エラストマースリーブによって、長手方向に一部だけ包み込まれていることを特徴とする前記１．に記載の軸受システム。
１３．  中心線を有する回転軸のための軸受システムであって、
（ａ）軸が回転する円筒形の空間を有する軸受であって、前記円筒形の空間は中心線を有し、前記軸受は約０．０１から約２．５ＭＰａ・ｍ／秒の範囲のＰＶ値で求めた場合、約０．３以下の摩擦係数を有するポリマーから作製されている軸受と、
（ｂ）均一な肉厚と前記軸受が締まりばめで入っている円筒形の空間を有するスリーブであって、前記スリーブは、約２０から約３０℃の範囲の温度で求めた場合、少なくとも約０．０２の損失正接値を有するエラストマーから作製されているスリーブとを備え、
前記軸の回転に潤滑剤が用いられず、前記軸の中心線が前記軸受の中心線と平行な間、前記軸の運動によって、前記スリーブが圧縮可能であることを特徴とする軸受システム。
１４．  前記摩擦係数は、約０．２以下であることを特徴とする前記１３．に記載の軸受システム。
１５．  前記ポリマーは、約０．０１から約２．５ＭＰａ・ｍ／秒の範囲のＰＶ値で求めた場合、約２×１０-6から約２×１０-5ｍｍ3／時間の範囲の摩損値を有することを特徴とする前記１３．に記載の軸受システム。
１６．  前記ＰＶ値は、約０．０５から約０．２５ＭＰａの範囲の圧力と約０．２から約１０ｍ／秒の範囲の速度とから得られることを特徴とする前記１３．に記載の軸受システム。
１７．  前記ポリマーは、ポリイミドであることを特徴とする前記１３．に記載の軸受システム。
１８．  前記エラストマーは、少なくとも約０．０８の損失正接値を有することを特徴とする前記１３．に記載の軸受システム。
１９．  前記エラストマースリーブは、ネオプレンゴムおよびポリ（エーテル／エステル）エラストマーの１種または複数から作製されることを特徴とする前記１３．に記載の軸受システム。
２０．  請求項１または前記１３．に記載の軸受システムを有することを特徴とする分数馬力モータ。